(57)【要約】【課題】複数種類の操作が単一のダイヤルでできて、見栄えを良くすることのできる操作装置を提供する。【解決手段】複数の押ボタン１４，１５が操作種類の選択に供し、その選択（押圧操作）をした上でダイヤル８を回転操作すれば、押圧操作（選択）した押ボタン１４，１５の一つに対応する主ギヤ１１，１２の一つから中間ギヤ２０，２１の一つ及び従ギヤ２７，２８の一つを介して、対応するシャフト２４，２５の一つが回転される。これが押ボタン１４，１５について、それぞれの押圧操作からダイヤル８の回転操作、そしてその各従動作へと行われるものであり、かくして、複数種類の操作が単一のダイヤル８ででき、従来の、操作の種類数に応じた個数のダイヤルを必要としないので、それらがインストルメントパネルに配列されることもなく、見栄えを良くすることができる。【選択図】図１
2011020500.tif 000002
【特許請求の範囲】
【請求項１】
リング状で内周部に複数の主ギヤを有するダイヤルと、
このダイヤルの内部に押圧操作可能に配設された複数の押ボタンと、
前記ダイヤルの内部に回転可能に配設された複数のシャフトと、
このシャフトにそれぞれ設けられた従ギヤと、
前記押ボタンにそれぞれ設けられた中間ギヤとを具備し、
その中間ギヤが、それぞれ前記押ボタンを押圧操作した位置で、対応する前記主ギヤと前記従ギヤとの間に位置して噛合し、前記ダイヤルの操作回転をそれら主ギヤ及び従ギヤを介して対応する前記シャフトに伝達することを特徴とする操作装置。
【発明の詳細な説明】
【技術分野】
【０００１】
本発明は、ダイヤル式で且つ機械式の操作装置に関する。
【背景技術】
【０００２】
従来より、例えば自動車など車両においては、空調装置の、吹出口の切換えや、設定温度の切換え、及び内外気の切換え等をするのに、ダイヤル式で且つ機械式の操作装置を具えたものが供されている。その操作装置は、それぞれ別個のダイヤルから成るものであり、各ダイヤルを回転操作することで、上記空調装置の吹出口の切換えや、設定温度の切換え、及び内外気の切換え等をするダンパを、それぞれケーブルを介して動かすようになっている。
【０００３】
従って、このものの場合、操作の種類が３つであれば３個のダイヤルというように、操作の種類数に応じた個数のダイヤルが具えられているのであり、それらがイストルメントパネルに配列されている（例えば特許文献１、２参照）。
【先行技術文献】
【特許文献】
【０００４】
【特許文献１】特開２００２−１７０４４８号公報
【特許文献２】特開２００３−５４２４５号公報
【発明の概要】
【発明が解決しようとする課題】
【０００５】
上記従来のものの場合、操作の種類数に応じた個数のダイヤルが具えられ、それらがインストルメントパネルに配列されていることで、見栄えが良くないという問題点を有していた。
【０００６】
本発明は上述の事情に鑑みてなされたものであり、従ってその目的は、複数種類の操作が単一のダイヤルでできて、見栄えを良くすることのできる操作装置を提供するにある。
【課題を解決するための手段】
【０００７】
上記目的を達成するために、本発明の操作装置は、リング状で内周部に複数の主ギヤを有するダイヤルと、このダイヤルの内部に押圧操作可能に配設された複数の押ボタンと、前記ダイヤルの内部に回転可能に配設された複数のシャフトと、このシャフトにそれぞれ設けられた従ギヤと、前記押ボタンにそれぞれ設けられた中間ギヤとを具備し、その中間ギヤが、それぞれ前記押ボタンを押圧操作した位置で、対応する前記主ギヤと前記従ギヤとの間に位置して噛合し、前記ダイヤルの操作回転をそれら主ギヤ及び従ギヤを介して対応する前記シャフトに伝達することを特徴とする。
【発明の効果】
【０００８】
上記手段によれば、複数の押ボタンが操作種類の選択に供し、その選択（押圧操作）をした上でダイヤルを回転操作すれば、押圧操作（選択）した押ボタンに対応する主ギヤから中間ギヤ及び従ギヤを介して、対応するシャフトが回転される。これがそれぞれの押ボタンの押圧操作からダイヤルの回転操作、そしてその各従動作へと行われるものであり、かくして、複数種類の操作が単一のダイヤルででき、従来の、操作の種類数に応じた個数のダイヤルを必要としないので、それらがインストルメントパネルに配列されることもなく、見栄えを良くすることができる。
【図面の簡単な説明】
【０００９】
【図１】本発明の一実施例を示す、図２のI−I線に沿う横断面図
【図２】正面図
【図３】図２のIII−III線に沿う縦断面図
【図４】第１の押ボタン操作状態の横断面図
【図５】第２の押ボタン操作状態の横断面図
【図６】第３の押ボタン操作状態の縦断面図
【発明を実施するための形態】
【００１０】
以下、本発明の一実施例（一実施形態）につき、図面を参照して説明する。
まず、図１には、車両（特には自動車）用の操作装置１を、車両のインストルメントパネル２に取付けた状態で示しており、その取付けは、操作装置１の基盤３の外周部に形成した複数個の爪部４を、インストルメントパネル２の取付洞部５の周囲部に形成した複数個の孔６にそれぞれ係合させることで行っている。
【００１１】
基盤３は円盤状を成しており、これの上面の周囲部には囲い壁７を形成していて、この囲い壁７の内方にダイヤル８を回転可能に収納して複数個の爪部９により抜け止めしている。ダイヤル８は、この場合、基体８ａと、これの前縁部（図１では上縁部）に装着した飾り枠８ｂとでリング状（短円筒状）に形成したものであり、前記インストルメントパネル２の取付洞部５前方（図１では上方）の部分に形成した開口部１０を回転可能に貫通して、基体８ａの前部（図１では上部）と飾り枠８ｂとがインストルメントパネル２の前方（図１では上方）に突出している。
【００１２】
基体８ａの後部（図１では下部）の内周部には、複数（この場合、第１ないし第３の３つ）の主ギヤ１１〜１３を例えば一体に形成して設けている。これらの主ギヤ１１〜１３はいずれも内歯車であり、そのうち、最前部の第１の主ギヤ１１が最も径が大きく、それより中間部の第２の主ギヤ１２、及び最後部の第３の主ギヤ１３と、順に径が小さくなっている。
【００１３】
基体８ａから飾り枠８ｂにかけての内部には、複数（この場合、図１ないし図３に示すように、第１ないし第３の３つ）の押ボタン１４〜１６を配設している。これらの押ボタン１４〜１６は、図２に示すように円盤をほゞ１２０度角ずつで３等分した大きさのボタン部１４ａ〜１６ａと、これらのボタン部１４ａ〜１６ａからそれぞれ後方（図１では下方、図３では右方）に突設したシャフト部１４ｂ〜１６ｂから成っており、そのうちの第１の押ボタン１４は車両の例えば空調装置における吹出口の切換えをするためのもので、ボタン部１４ａの前面にはそれ用の表示１７を設けている。又、第２の押ボタン１５は同空調装置における設定温度の切換えをするためのもので、ボタン部１５ａの前面にはそれ用の表示１８を設けている。更に、第３の押ボタン１６は同空調装置における内外気の切換えをするためのもので、ボタン部１６ａの前面にはそれ用の表示１９を設けている。
【００１４】
これに対し、シャフト部１４ｂ〜１６ｂの各後端部には、第１ないし第３の中間ギヤ２０〜２２をそれぞれ取付けている。これらの中間ギヤ２０〜２２はいずれも平歯車であり、そのうちの第１の中間ギヤ２０が前記第１の主ギヤ１１と対応して最も径が大きく、それより前記第２の主ギヤ１２と対応する第２の中間ギヤ２１、及び前記第３の主ギヤ１３と対応する第３の中間ギヤ２２と、順に径が小さくなっている。
【００１５】
押ボタン１４〜１６は、押圧操作が可能で、常時は図１及び図３に示すように、ボタン部１４ａ〜１６ａの前面が飾り枠８ｂの前面と面一に位置する状態に保持され、この状態から、第１の押ボタン１４は上記第１の中間ギヤ２０が前記第１の主ギヤ１１と噛合する位置まで、第２の押ボタン１５は第２の中間ギヤ２１が前記第２の主ギヤ１２と噛合する位置まで、第３の押ボタン１６は第３の中間ギヤ２２が前記第３の主ギヤ１３と噛合する位置まで、それぞれ押圧操作されて保持されるようになっており、更に、そのそれぞれ保持された位置から再度押圧操作すると、それぞれ原位置に復帰するようになっている。
【００１６】
基体８ａの内部に位置して前記基盤３の中心部には、シャフト挿通孔２３を形成しており、このシャフト挿通孔２３に複数（この場合、第１ないし第３の３つ）のシャフト２４〜２６を挿通している。これらのシャフト２４〜２６は同心状に組立てたもので、中実状の第１のシャフト２４の周囲にそれより径大な中空状の第２のシャフト２５が位置し、更に第２のシャフト２５の周囲にそれより径大な中空状の第３のシャフト２６が位置している。なお、これらのシャフト２４〜２６の長さは、第１のシャフト２４が最も長くて、前後部が第２のシャフト２５より突出し、次いで第２のシャフト２５が長くて、前後部が第３のシャフト２６より突出し、第３のシャフト２６が最も短いものとなっている。
【００１７】
又、それらのシャフト２４〜２６の各前端部（図１及び図３では上端部）には、第１ないし第３の従ギヤ２７〜２９をそれぞれ一体に形成して設けている。これらの従ギヤ２７〜２９はいずれも平歯車であり、そのうちの第１の従ギヤ２７が前記第１の主ギヤ１１と並び合うと共に前記第１の中間ギヤ２０と対応して最も径が小さく、それより前記第２の主ギヤ１２と並び合うと共に前記第２の中間ギヤ２１と対応する第２の従ギヤ２８、及び前記第３の主ギヤ１３と並び合うと共に前記第３の中間ギヤ２２と対応する第３の従ギヤ２９と、順に径が大きくなっている。
【００１８】
なお、基盤３には、第１ないし第３のシャフト２４〜２６の周囲部分から第１の従ギヤ２７の前方にかけて押え部材３０を取付けており、この押え部材３０によって、第１ないし第３の従ギヤ２７〜２９及び第１ないし第３のシャフト２４〜２６を押え、それらの浮き出しを抑制するようにしている。又、その押え部材３０の前部には、図２に示すように前記第１ないし第３の押ボタン１４〜１６のボタン部１４ａ〜１６ａに共通の中心飾り３１を取付けている。
【００１９】
又、シャフト２４〜２６の各後端部には、操作伝達部材である第１ないし第３のプーリ３２〜３４をそれぞれ取付けており、これらのプーリ３２〜３４には、第１ないし第３のケーブル３５〜３７をそれぞれ掛けている。このうち、第１のケーブル３５は前記空調装置の吹出口の切換えをするダンパ（図示省略）に連なってそれを動かすものであり、第２のケーブル３６は同空調装置の設定温度の切換えをするダンパ（同省略）に連なってそれを動かすもの、第３のケーブル３７は同空調装置の内外気の切換えをするダンパ（同省略）に連なってそれを動かすものである。
【００２０】
次に、上記構成のものの作用を述べる。
まず、図１ないし図３に示した状態から、第１の押ボタン１４を選択して、ボタン部１４ａを図４に矢印Ａで示すように押圧操作すると、第１の中間ギヤ２０が押し込まれて第１の主ギヤ１１と噛合すると共に第１の従ギヤ２７と噛合する。この状態で、ダイヤル８を回転操作すると、上記第１の主ギヤ１１から第１の中間ギヤ２０及び第１の従ギヤ２７へと回転が伝達され、第１のシャフト２４が第１のプーリ３２を伴って回転する。この第１のプーリ３２の回転により、第１のケーブル３５を介して車両の空調装置の吹出口の切換えをするダンパが動かされ、その吹出口の切換えが行われる。
【００２１】
次いで、第２の押ボタン１５を選択して、ボタン部１５ａを図５に矢印Ｂで示すように押圧操作すると、第２の中間ギヤ２１が押し込まれて第２の主ギヤ１２と噛合すると共に第２の従ギヤ２８と噛合する。この状態で、ダイヤル８を回転操作すると、上記第２の主ギヤ１２から第２の中間ギヤ２１及び第２の従ギヤ２８へと回転が伝達され、第２のシャフト２５が第２のプーリ３３を伴って回転する。この第２のプーリ３３の回転により、第２のケーブル３６を介して車両の空調装置の設定温度の切換えをするダンパが動かされ、その設定温度の切換えが行われる。
【００２２】
更に、第３の押ボタン１６を選択して、ボタン部１６ａを図６に矢印Ｃで示すように押圧操作すると、第３の中間ギヤ２２が押し込まれて第３の主ギヤ１３と噛合すると共に第３の従ギヤ２９と噛合する。この状態で、ダイヤル８を回転操作すると、上記第３の主ギヤ１３から第３の中間ギヤ２２及び第３の従ギヤ２９へと回転が伝達され、第３のシャフト２６が第３のプーリ３４を伴って回転する。この第３のプーリ３４の回転により、第３のケーブル３７を介して車両の空調装置の内外気の切換えをするダンパが動かされ、その内外気の切換えが行われる。
【００２３】
このように上記構成のものでは、第１ないし第３の押ボタン１４〜１６が操作種類の選択に供し、その選択（押圧操作）をした上でダイヤル８を回転操作すれば、押圧操作（選択）した押ボタン１４〜１６の一つに対応する第１ないし第３の主ギヤ１１〜１３の一つから第１ないし第３の中間ギヤ２０〜２２の一つ及び第１ないし第３の従ギヤ２７〜２９の一つを介して、対応する第１ないし第３のシャフト２４〜２６の一つが回転される。これが第１ないし第３の押ボタン１４〜１６について、それぞれの押圧操作からダイヤル８の回転操作、そしてその各従動作へと行われるものであり、かくして、複数種類の操作が単一のダイヤル８でできる。よって、従来の、操作の種類数に応じた個数のダイヤルを必要とせず、それらがインストルメントパネルに配列されることもなくして、見栄えを良くすることができる。
【００２４】
なお、本発明は上記し且つ図面に示した実施例にのみ限定されるものではなく、特に押ボタンから主ギヤ、中間ギヤ、従ギヤ、シャフト、プーリ、及びケーブルは、複数あれば良いもので、上記の３つより少なくても、あるいは多くても良いものであり、又、全体も車両用以外の操作装置に適用できるなど、要旨を逸脱しない範囲内で適宜変更して実施し得る。
【符号の説明】
【００２５】
図面中、１は操作装置、８はダイヤル、１１〜１３は第１ないし第３の主ギヤ、１４〜１６は第１ないし第３の押ボタン、２０〜２２は第１ないし第３の中間ギヤ、２４〜２６は第１ないし第３のシャフト、２７〜２９は第１ないし第３の従ギヤを示す。
【図１】
2011020500.tif 000003
【図２】
2011020500.tif 000004
【図３】
2011020500.tif 000005
【図４】
2011020500.tif 000006
【図５】
2011020500.tif 000007
【図６】
2011020500.tif 000008